(57)【要約】【課題】学校掲示板を介して学校以外の者がスポンサーとして学校支援を行うことができるようにして学校の学校掲示板の維持管理のための経費をゼロにすることができる学校掲示板及びそのシステムを提供する。【解決手段】携帯電話１の画面に表示される学校掲示板２において、学校により入力された学校に関連する情報３が表示されるとともに、学校を支援するスポンサーにより入力された広告６が表示される学校掲示板。【選択図】図１
2007065791.tif 000002
【特許請求の範囲】
【請求項１】
携帯電話の画面に表示される学校掲示板において、学校により入力された学校に関連する情報が表示されるとともに、学校を支援するスポンサーにより入力された広告が表示される学校電子掲示板。
【請求項２】
学校に関連する情報を入力する学校側の入力手段、入力された学校に関連する情報を携帯電話の画面に表示される学校掲示板に表示する表示手段、
学校を支援するスポンサーの広告を入力するスポンサー側の広告入力手段、入力されたスポンサーの情報を前記学校掲示板に表示する表示手段を備えた学校電子掲示板の表示システム。
【発明の詳細な説明】
【技術分野】
【０００１】
本発明は、学校電子掲示板（以下、「学校掲示板」という。）を学校、保護者以外の者がスポンサーとして利用可能にして学校の支援をより活発にできるとともに学校の学校掲示板の利用料を無料することができる学校電子掲示板及び学校掲示板システムに関する。
【背景技術】
【０００２】
学校が行事、近況、連絡事項などの情報を生徒、学生あるいは保護者に知らせるために携帯電話に学校掲示板を表示することが知られている（特許文献１参照）。
【０００３】
図３は従来の小学校の学校掲示板の例を示す図である。
【０００４】
生徒、あるいは保護者が携帯電話１で学校のサイトにアクセスすることにより学校掲示板２が表示される。学校掲示板２には、生徒の事故、学校行事、学校の近況、連絡事項などの情報についての項目３が表示される。表示された見出しのうちから見たい見出しをクリックすると、次の画面にジャンプして詳細な内容５を見ることができる。こうして、保護者は学校掲示板を介して学校や子供の様子を知ることができる。
【特許文献１】特開２００２−２４１３０号公報
【発明の開示】
【発明が解決しようとする課題】
【０００５】
全国各地で子どもに関わる事件や事故が発生している。そのような状況の中で、学校と家庭だけで「こどもを見守る」のは防犯、防災の観点から不十分である。学校は生徒、学生あるいは保護者だけでなく、地域とも密接に関係している。そこで「こどもを見守る」という目的を共有する民間企業がスポンサーとなり支援を行うことは必要と考えられる。しかしながら、現状の学校掲示板を利用できるのは、学校掲示板は営利目的での利用ができないという点で保護者と学校に制限されているため、地域の関係者は加わることができずに学校を十分に支援することができないという欠点がある。
【０００６】
さらに、学校掲示板を利用するために、学校側はソフト使用料などを支払わなければならないが、予算が少ないためにその捻出に苦慮している。
【０００７】
そこで、本発明は、学校掲示板を介して学校以外の者がスポンサーとして学校支援を行うことができるようにして学校の学校掲示板の維持管理のための経費をゼロにすることができる学校掲示板及びそのシステムを提供するものである。
【課題を解決するための手段】
【０００８】
本発明の学校掲示板は、携帯電話の画面に表示される学校掲示板において、学校により入力された学校に関連する情報が表示されるとともに、学校を支援するスポンサーにより入力された広告が表示されることを特徴とする。
【０００９】
また、本発明の学校掲示板システムは、学校に関連する情報を入力する学校側の入力手段、入力された学校に関連する情報を携帯電話の画面に表示される学校掲示板に表示する表示手段、学校を支援するスポンサーの広告を入力するスポンサー側の広告入力手段、入力されたスポンサーの情報を前記学校掲示板に表示する表示手段を備えたことを特徴とする。
【発明の効果】
【００１０】
本発明による学校掲示板システムにより、保護者は従来どおり、学校掲示板の内容を見ることができる上、スポンサーの項目をクリックすればスポンサーの一覧が表示され、その中から内容を確認したいスポンサーをクリックすれば、その内容が表示され、選択したスポンサーの広告を見ることもできる。
【００１１】
スポンサーは学校掲示板に広告を表示することにより学校の学校掲示板の利用料を支払い、学校側はソフト使用料などの学校掲示板の維持管理の経費をゼロにすることができる。
【００１２】
また、スポンサーは、子どもの防犯、防災につながる情報、特に地域のスポンサーおいては、子どもたちがトラブルに巻き込まれそうになった時に、被害を未然に防ぐための協力や学校への通報など、「こどもを見守る」という目的を、学校と保護者ともに共有でき、学校や地域と連帯感をもつことができ、学校への支援で社会貢献ができる。また、保護者に関心のある学校掲示板にＰＲすることができるので宣伝効果も大きい。
【発明を実施するための最良の形態】
【００１３】
以下、本発明の実施例について図面を参照して説明する。
【実施例１】
【００１４】
図１は本発明のシステムにおける学校掲示板を携帯電話に表示した一例を示す図である。
【００１５】
携帯電話１に表示される学校掲示板２には、学校行事、学校の近況などの学校関連の項目３が表示されるとともに、さらに、サイト支援としてスポンサー項目４が表示される。
【００１６】
表示された項目３，４のうちから見たい項目をクリックすると、次の画面にジャンプして詳細な内容を確認することができる。学校に関連する情報は、従来の学校掲示板と同様に、表示された項目３のうちから見たい項目をクリックすると、詳細な内容をみることができる。
【００１７】
また、スポンサーの項目４をクリックするとスポンサーの一覧５が表示され、スポンサーを選択してクリックすると、そのスポンサーの広告内容６が表示される。
【００１８】
図２は学校の携帯サイトとスポンサーの携帯サイトの作成と、保護者がサイトを閲覧するフローを示す図である。
【００１９】
学校側では携帯サイトに行事、連絡事項などの情報を入力するため、入力装置（ＰＣあるいは携帯電話）により学校の管理画面にアクセスし（Ｓ１）、学校用ＩＤを入力し（Ｓ２）、認証された後（Ｓ３）、各必要項目について情報を入力し（Ｓ４）、学校の携帯サイトを完成させる（Ｓ５）。
【００２０】
スポンサー側でも携帯サイトに広告の情報を入力するため、入力装置（ＰＣあるいは携帯電話）によりスポンサーの管理画面にアクセス（Ｓ１１）し、スポンサー用ＩＤを入力し（Ｓ１２）、認証された後（Ｓ１３）、各必要項目について広告情報を入力し（Ｓ１４）、スポンサーの携帯サイトを完成させる（Ｓ１５）。
【００２１】
保護者は、携帯電話により学校掲示板にアクセスする。学校掲示板では、スポンサーがついている場合には、学校とスポンサーの携帯サイトが表示される。保護者は必要とするサイトをクリックすることにより内容を閲覧することができる。なお、スポンサーと契約していない学校掲示板にはスポンサーは表示されない。
【図面の簡単な説明】
【００２２】
【図１】本発明のシステムにおける学校掲示板を携帯電話に表示した一例を示す図である。
【図２】学校の携帯サイトとスポンサーの携帯サイトの作成と、保護者が携帯債とを閲覧するフローを示す図である。
【図３】従来の小学校の学校掲示板の例を示す図である。
【符号の説明】
【００２３】
１：携帯電話
２：学校電子掲示板
３：学校関連の項目
４：スポンサー項目
５：スポンサーの一覧
６：広告内容
７：詳細な内容
【図１】
2007065791.tif 000003
【図２】
2007065791.tif 000004
【図３】
2007065791.tif 000005